(57)【要約】      （修正有）【課題】スリーブが取り外しできないようなアクスルを装着でき、破損しにくいアクスルスリーブを提供する。【解決手段】アクスルの取付部に装着するための管状スリーブ７０であって、当該管状スリーブ７０は、少なくとも１の長手方向のエッジに沿って接続して管状スリーブ７０を形成するよう構成された複数の部分７４ａ、ｂから構成される。長手方向のエッジはアクスルの長軸に対して平行ではない第１の部分７６ｂを具え、長手方向のエッジは第１の部分に対して角度をなした第２の部分を具えており、径方向に圧縮した場合に、複数の構成部分７４ａ、ｂは互いに係合して管状スリーブ７０を形成する。構成部分７４ａ、ｂは互いに同一であることが好ましく、対向する構成部分７４ａ、ｂの対向する広い平坦面に直接向かい合う、ヘッド部の後方の広い平坦構造の形態をしたデテント壁部で終端する勾配部を有する。【選択図】図１２
2015231800.tif 000002
【特許請求の範囲】
【請求項１】
アクスルの取付部に装着するための管状スリーブにおいて、
当該管状スリーブは、少なくとも１の長手方向のエッジに沿って接合して前記管状スリーブを形成するよう構成された複数の部分から形成されており、
前記長手方向のエッジは、前記アクスルの長軸と平行ではない第１の部分を具え、
前記長手方向のエッジは、前記第１の部分に対して斜めの第２の部分を具え、
径方向に圧縮された場合、複数の構成部分が互いに係合して前記管状スリーブを形成することを特徴とする管状スリーブ。
【請求項２】
請求項１に記載の管状スリーブにおいて、前記長手方向のエッジが、曲線、不規則な線、またはその双方の組み合わせを辿ることを特徴とする管状スリーブ。
【請求項３】
請求項３に記載の管状スリーブにおいて、前記曲線が、らせん状、スパイラル状、Ｓ形状、波状および／または丸みを帯びた形状であることを特徴とする管状スリーブ。
【請求項４】
請求項２に記載の管状スリーブにおいて、前記不規則な線が、前記構成部分の半部の互いに対する異回転に抵抗するために、鋭い角度の移行部によって連結された少なくとも２の直線部分を具えていることを特徴とする管状スリーブ。
【請求項５】
請求項４に記載の管状スリーブにおいて、前記鋭い角度の移行部が、少なくとも９０°であることを特徴とする管状スリーブ。
【請求項６】
請求項５に記載の管状スリーブにおいて、前記長手方向のエッジの一部分を形成する前記構成部分の対向面の少なくとも一部が、形成されるスリーブの長軸と平行に延在することを特徴とする管状スリーブ。
【請求項７】
請求項１に記載の管状スリーブにおいて、組み立てられていない前記スリーブが、略円筒形スリーブを形成するように互いに嵌合可能または接続可能な２つの分離する部分を具えていることを特徴とする管状スリーブ。
【請求項８】
請求項１に記載の管状スリーブにおいて、前記構成部分が互いに同一であって、相互に抵抗性の嵌合係合可能な部分を有しており、当該抵抗性の嵌合係合可能な部分は、対向する構成部分における対向する広い平坦面に直接向かい合う、ヘッド部の後方で広い平坦構造の形態をしたデテント壁部で終端する勾配部を有することを特徴とする管状スリーブ。
【請求項９】
請求項８に記載の管状スリーブにおいて、側面からみるとそれぞれの前記エッジに沿って長手方向に延在している前記抵抗性の嵌合係合可能な部分は、前記スリーブの完全な円筒形の長軸から延在する放射状線に対して角度をなすように傾斜した前記勾配部へと移行する鋭い突出エッジを有するオス結合部の形状をした勾配状のヘッド部を有することを特徴とする管状スリーブ。
【請求項１０】
請求項９に記載の管状スリーブにおいて、前記勾配部、バヨネット部または矢尻部が、狭いネック部によって構成部分の半円筒壁に接続されたデテント壁部で終端しており、
前記デテント壁部と、前記半円筒壁の射線中心に面し、前記ネック部の一部を構成する内面と、前記円筒壁の端壁の広い面とが、側面からみると対向する前記構成部分の接続エッジの終端エッジに形成された前記勾配状のヘッド部を受け入れて閉じ込めるための凹部を規定することを特徴とする管状スリーブ。
【発明の詳細な説明】
【技術分野】
【０００１】
本発明は、アクスルスリーブに関するものである。より具体的には、本発明は、２部分のアクスルスリーブに関するものである。更により具体的には、本発明は、工業用ホイール、特に多方向ホイール用の２部分の管状アクスルスリーブに関するものである。
【背景技術】
【０００２】
先の提案または製品に係る以下の参照および記載は、当該分野における技術常識の記載または承認であることを意図するものでなく、そのように解釈すべきではない。特に、以下の先行技術に係る考察は当該分野における当業者によって共通または周知であることとは関係なく、適切な先行技術の提案を識別することがその一部である本発明の進歩性の理解を助けるものである。
【０００３】
完全な円筒形状のアクスルスリーブを形成することは現実的ではない。これは、スリーブが装着されるアクスルの部分の直径は、その部分の両側におけるアクスルの直径よりも小さいからである。アクスルスリーブは、アクスル部分上にモールドすることができる。あるいは、アクスル上にスリーブを形成すべく、互いに接続することができる縦半部から形成することができる。スリーブが取り外しできないように装着されることもあるかもしれない。このような場合、アクスルの両端にはアクセス部がないため、スリーブはスリーブ取付部へと摺動することができない。したがって、アクスルの両側を介してアクスル取付部へとスリーブを摺動させることができない場合にアクスルを装着できる、改善したアクスルスリーブが必要である。先行技術の提案は、原位置で互いに接続することができる２つの半部からアクスルスリーブを形成するステップを含む。しかしながら、このような先行技術のスリーブは、圧力下で接合線に沿って破損しやすい。
【０００４】
本発明の目的は、先行技術の上述した欠点を改善する、あるいはその有用な代替案を少なくとも提供することである。
【発明の概要】
【０００５】
したがって、本発明の一態様では、アクスルの取付部に装着するためのアクスル用管状スリーブが提供されており、この管状スリーブは少なくとも１の縦エッジに沿って接続して管状スリーブを形成するよう構成された複数の部分から形成されている。この縦エッジは、アクスルの長軸と平行ではない第１の部分と、第１の部分に対して角度をなした第２の部分とを具え、これにより、径方向に圧縮された場合に、複数の構成部分は互いを固定して管状スリーブを形成する。
【０００６】
他の態様では、本発明は、アクスル周囲に互いに一致する、アクスル用スリーブの相補的な構成部分を提供しており、この構成部分はそれぞれ、実質的に曲線状のパスを辿る少なくとも１の対向する接合エッジを有する。
【０００７】
好適には、構成部分は係合するように摺動し、径方向に分離するのを互いに妨げ、組み立てられたスリーブのそれぞれの端部が軸方向に抑制されて、互いに対する構成部分の軸方向の移動に耐えるように設けられている。
【０００８】
他の態様では、本発明は、少なくとも１の接合線に沿って構成部分を接続することによって形成された分割スリーブを提供し、曲線状のパスを辿る接続線を特徴とする。アクスルスリーブの構成部分の縦エッジは、曲線、不規則な線、またはこれらの組み合わせを辿る。好適には、接合線はスパイラルまたはらせん形状である。この曲線状の接合線は、圧力下でスリーブが分離するのを耐えるのに有効である。
【０００９】
一般に、スリーブは、アクスル上に保持され、構成部分の互いに対する長手方向の変位を妨げることができる。
【００１０】
本発明は、スリーブを分割する他にスリーブをアクスル上に配置することができないアクスル構造に利用することができる。各構成部分がアクスル周囲に部分的に巻き付くように、構成部分の曲線状の接合エッジはスパイラル状のパスを辿ることができる。第１の端部における構成部分の半円形の端壁は、第２の対向する端部に対して約６０°−１１０°だけオフセットしていてもよい。これらの構成部分は、２つの接合壁を具えうる。端面を見た場合、第１の端部における第１の接合壁の先端は第２の端部における第２の接合壁の先端に近接することができ、これにより、軸方向端部から見た先端部間の間隔はアクスルの直径よりも小さい。接合壁のスパイラル状のパスは、各構成部分がアクスル周囲に巻き付くよう構成される程度に十分に鋭く、これにより、構成要素は、アクスルから構成部分を外側に動かすことでアクスルから容易に取り外すことはできず、アクスルに対して同軸関係に構成部分を保持する。構成部分は、一方の構成部分の端部を解除し、第２の端部を規定する開口が第２の端部の開口からアクスルを解除できるように、角度をなす構成部分をシフトさせることによってのみ取り外すことができる。
【００１１】
対面しているエッジそれぞれから接線方向に延在する突出部を配置してもよい。この突出部は、構成部分の壁の一部を形成することができる。突出部は、互いに平行に位置合わせされた、対面して隣接する面を有することができる。構成部分の各端部は半円形であってもよい。各半円端部は、対向する構成部分と係合して、円筒形の完全な円形端壁を形成するように構成することができる。突出部は、相補的な構成部分の接近方向に向かって延在することができる。
【００１２】
接合線または長手方向の線の少なくとも一部は、曲線状の接合エッジに対して、好適には鋭角の角度をなした傾斜部であってもよい。この傾斜部は、形成されたスリーブの長軸と平行に延在しうる平坦部であってもよい。各構成部分の平坦部は、長軸の周りで構成部分が異方向に回転するのを防ぐのに有効となり、これにより、スリーブがアクスル上に組み立てられ軸方向に閉じ込められた場合に、構成部分は互いに対して接合線に沿って摺動せず、互いに対して回転もしない。
【００１３】
好適には、この平坦部は接合線の終端部である。有利に、各構成部分は、相補的な構成部分の対応する相補的な平坦部に対向して、隣接するよう構成された平坦部を有する。平坦部が接合線の一部を構成してもよい。代替的には、接合線は完全に曲線状であってもよい。好適には、平坦部は曲線状の接合線と隣接している。
【００１４】
接合線は、対向する曲線状の面によって形成されることが好ましい。対向する面は、曲線状のパスを辿る、側方に平坦な座面を具えることが好ましい。各構成部分の対向する、側方に平坦であって且つ長手方向に曲線状の座面は、互いに隣接して相補的な座面を形成するよう構成される。
【００１５】
構成部分はそれぞれ、係合部分を有しうる。これらの係合部分は相補的であって、且つ、他方の構成部分の対向する係合部分と係合するよう構成することができる。この係合部分は勾配部を有しうる。勾配部は、対向する構成部分の接近方向に対して０°乃至１１０°の面に位置する対向接触面を具えうる。この方法では、カム面が接触するため、勾配部は互いを通過して摺動することができる。勾配部は、他方の構成部分の凹部における対向するヘッド部を閉じ込めるように構成されたヘッド部の一部を形成することができる。したがって、勾配部は最小限の歪みで互いに係合する。勾配部は、スナップ留めして係合されるのではなく、隣接して抵抗性キャッチ部を作成するように摺動する。しかしながら、アクスル周囲に部分的に巻き付くよう構成されたスパイラル状の構成部分本体の相対的形状により、勾配部の取り外し角度および平面は構成部分を分離するのに必要な離脱角度からオフセットしており、構成部分は互いから離れるように外側または径方向に引っ張ることができないため、係合部分は構成部分を係合して閉じ込める。
【００１６】
平坦部または勾配部は、負荷の下、組み立てられたスリーブの構成部分の互いに対する移動を可能にすることができる。構成部分の相対移動を可能にする一方、係合を堅く維持することにより、構成部分が分離する、あるいはスリーブが破損することなく、負荷の下でスリーブを歪めることができる。係合手段の歪みおよび潜在的な離脱が重荷重を適用する結果として生じるように構成部分が積極的に係合している場合、スリーブは破損するか、係合手段は負荷の下でスナップ留めするか係合が外れて、それにより、不本意なカチッという音が生じてしまう。本発明の好適な実施形態は、構成部分が分離することなく、接合線に沿ってスリーブを僅かに歪めてシフトさせることができることにより、この問題を解消することができる。
【００１７】
勾配部は、構成部分を分割または分離させてしまう圧縮力に対して、接合線で構成部分を互いに保持するのに効果的でる。これは、スリーブの長軸周りで構成部分が異方向に回転するのを防ぐ対向面を提供することによって実現する。平坦部または勾配部はさらに、いずれかの端部においてスリーブの軸方向の抵抗によってスリーブを互いに保持するキャッチ部として機能し、これにより、構成部分は互いに対して軸方向に摺動したり回転することはできない。
【００１８】
スリーブがアクスル上に組み立てられた後に、ホイール部材またはタイヤをスリーブ上にモールドすることができる。タイヤは、ローラタイヤであってもよい。ローラは、多方向ホイールの一部を形成することができる。しかしながら、本発明の範囲内となるように他の用途も考えられる。一般的な管状または円筒状のスリーブは、その上にモールドされるローラまたは他の要素の内面を把持するのを補助する外面機構を有しうる。この表面の機構は、起伏部、突出部、溝部、ノブ、またはリッジを含みうる。
【００１９】
外面機構は、突出部または刻み目の形態を取りうる。外面機構は、そこへのモールド材料の付着を容易にするのに効果的となりうる。これらの突出部は、長手方向のリブであることが好ましい。長手方向のリブは、組み立てられたスリーブの円筒部の外面周囲で周方向に間隔が空いている。構成部分は、整列し、構成部分を接続して完全となる外面機構の分離する部分を具えうる。したがって、各構成部分は、構成部分を接続してのみ完全となるリブの部分を有しうる。
【００２０】
長手方向のリブの輪郭は、長手方向に構造上の強度を与えることが好ましい。この長手方向のリブは、ローラ材料を置換するよう構成されることが好ましく、これにより、スリーブの外面とローラの外面の間の空間を満たすのに必要なローラの材料が少なくなる。外面機構により、スリーブ上にモールドされるローラ壁の厚さを正確に制御することもできる。これは、スリーブを組み込んだホイールの、反復されることが予想される高荷重での使用時における構造上の一体性、乗り心地および／または騒音の最小化といった性能特性に関して重要となりうる。
【００２１】
１以上の分離する内側ベアリングが必要な場合、これらはスプリットベアリングの形態を取りうる。このスプリットベアリングは、共にベアリングを構成する一対の半部といった、２以上のベアリング部分を具えうる。スリーブの内面は、アクスル周囲のハウジングとしてベアリングを収容してもよい。スリーブハウジングは、スプリットベアリングのオーバーモールドを可能にする手段を提供することができる。
【００２２】
スリーブは、１以上の恒久的な縦の接合部に沿ってヒンジ式に取り付けるか連結され、恒久的な縦の接合部から周方向に間隔を空けて位置する別の対の対向する縦エッジで互いに接合可能な構成部分から形成することができる。構成部分は、２つの部分からなることが好ましい。２つの部分は恒久的にヒンジ接続され、恒久的な縦の連結部から周方向に間隔を空けて位置する嵌合縦エッジを有する。代替的に、構成部分は、略円筒形スリーブを形成するように互いに嵌合または接合可能な２つの分離する部分を具えうる。この構成部分は同一であって、相互に係合可能な相補的部分を有する。
【００２３】
接合または嵌合可能なエッジは、オスメスの凹凸部、突出部と突出部を閉じ込めるための凹部といった、相互に相補的に係合可能な部分を形成しうる。それぞれのエッジに沿って長手方向に延在する形状をした係合または接続可能な部分は、ヘッド部、バヨネット、矢じり状のオス嵌合部、または勾配部の勾配面へと移行する突出エッジを有する突出部を有しうる。勾配面は、完全なスリーブの円筒形の長軸から延在する放射状線に対して角度をなして傾斜しうる。勾配部は、対向する構成部分の対向する広い平坦面に直接的に面するヘッド部、バヨネット、矢じり部、または勾配部の後方で、平坦で広い構造の形態をしたデテント壁部で終端しうる。バヨネット、矢じり部または勾配部は、狭いネック部によって構成部分の半円筒形の壁に連結することができ、それにより、平坦で広いデテント壁部と、半円筒形の壁の径方向中心に向かって面し、ネックの一部を形成するスリーブの内面と、軸方向に面した円筒壁の端壁の広い面とによって、凹部が規定される。これらの構造上の表面機構は共に、対向する構成部分の接合エッジの終端縁部に形成されたヘッド部を受け、および／または閉じ込めるための凹部を規定する。
【００２４】
他のオスメスの係合可能または相補的な摩擦嵌合部は、本発明の範囲内に収まると考えられる。
【００２５】
スリーブは、駆動ローラまたはホイール用のアクスルと係合するよう構成された内面機構を有する内側ボアを具えてもよく、あるいはアクスルに対するスリーブの回転を可能にする滑らかなボアを具えてもよい。
【００２６】
構成部分から形成された完全かつ組み立てられたスリーブは、略円筒コア部と、パイプまたは管と、長手方向のリッジまたはリブの形態をした外面機構を具えうる。この外面機構は、中央中心に向かって増した放射状の高さを有し、略円筒コア部の外面、パイプまたは管に向かって先細となりうる。したがって、側面では、スリーブの輪郭は、概して葉巻型のシルエットとなりうる。
【図面の簡単な説明】
【００２７】
本発明は、好適な実施形態に係る以下の非限定的な記載から、より一層理解することができる。
【図１ａ】図１ａは、本発明の一態様によるアクスルスリーブの第１の実施形態の斜視図であり、凹凸配置システムと、１６の外側リブと、らせん状の接合エッジとを具えている。
【図１ｂ】図１ｂは、本発明の一態様によるアクスルスリーブの第１の実施形態の斜視図であり、凹凸配置システムと、１６の外側リブと、らせん状の接合エッジとを具えている。
【図２ａ】図２ａは、図１ａ−１ｂに示す実施形態の分解斜視図である。
【図２ｂ】図２ｂは、図１ａ−１ｂに示す実施形態の分解斜視図である。
【図３】図３は、第３の実施形態により作成されたアクスルスリーブの斜視図であり、バヨネット型キャッチ部と、１６の外側リブと、らせん状の接合エッジとを具え、多方向ホイールのホイールフレームのアクスルに装着されている。
【図４ａ】図４ａは、図３に示すアクスルスリーブの端部斜視図である。
【図４ｂ】図４ｂは、図３に示すアクスルスリーブの端部斜視図である。
【図５ａ】図５ａは、アクスルから取り外した、図３に示すアクスルスリーブの斜視図である。
【図５ｂ】図５ｂは、図５ａに示すアクスルに部分的に装着した、図３に示すアクスルスリーブの斜視図である。
【図６】図６は、アクスルに装着した図３−５ｂに示すアクスルスリーブの斜視図である。
【図７】図７は、構成部分が分離した状態の図３−６に示すアクスルスリーブの端部斜視図である。
【図８】図８は、図３−７に示すアクスルスリーブの端部斜視図である。
【図９】図９は、図３−８に示すアクスルスリーブの一方の構成部分の端部斜視図である。
【図１０】図１０は、第３の実施形態により作成されたアクスルスリーブに装着されるホイールフレームの一部の斜視図であり、滑らかな外面とＺ型の接合エッジとを具えている。
【図１１ａ】図１１ａは、第４の実施形態により作成されたアクスルスリーブの構成部分の斜視図であり、８のリブとらせん状の接合エッジとを具えている。
【図１１ｂ】図１１ｂは、第４の実施形態により作成されたアクスルスリーブの構成部分の斜視図であり、８のリブとらせん状の接合エッジとを具えている。
【図１１ｃ】図１１ｃは、第４の実施形態により作成されたアクスルスリーブの構成部分の斜視図であり、８のリブとらせん状の接合エッジとを具えている。
【図１１ｄ】図１１ｄは、第４の実施形態により作成されたアクスルスリーブの構成部分の斜視図であり、８のリブとらせん状の接合エッジとを具えている。
【図１２】図１２は、第５の実施形態により作成されたアクスルスリーブの２つの構成要素の半部の斜視図であり、バヨネット型キャッチ部と、１０の外側リブと、Ｚ型の接合エッジとを具えている。
【図１３】図１３は、図１２に示すアクスルスリーブの構成部分の側面である。
【図１４】図１４ａは、同一の部分に嵌合した図１３に示すアクスルスリーブの構成部分の側面である。図１４ｂは、図１４ａに示す組み立てられたアクスルスリーブの端面である。
【図１５】図１５は、第６の実施形態によるアクスルスリーブの構成部分の端面であり、バヨネット型キャッチ部と、１０の外側リブと、らせん状の接合リッジとを具えている。
【図１６】図１６は、図１５に示す構成部分の側面である。
【図１７】図１７は、図１３に示す構成部分の斜視図である。
【図１８】図１８は、図１２に示す組み立てられていないアクスルスリーブの構成部分の第２の斜視図である。
【図１９】図１９は、図１２および１８に示す構成部分から形成された、組み立てられたアクスルスリーブの斜視図である。
【図２０】図２０は、図１９に示す完全なアクスルスリーブの側面図であるが、平坦な端部を有するリブを具えている。
【図２１】図２１は、図１９に示すものと類似する第７の実施形態による組み立てられたアクスルスリーブの斜視図であるが、角を形成する端部というよりも直線的に終端したリッジを有している。
【図２２】図２２は、図２１に示す完全なアクスルスリーブの端面図である。
【図２３】図２３は、図２１−２２に示す完全なアクスルスリーブの側面図である。
【図２４】図２４は、第８の実施形態による完全なアクスルスリーブの側面図であり、バヨネット型キャッチ部と、直線的エッジの終端部を有する８の長手方向のリッジの外面機構と、Ｚ型の接合エッジとを特徴としている。
【図２５】図２５は、図２４に示すアクスルスリーブの斜視図である。
【図２６】図２６は、図２１−２３に示すアクスルスリーブの組み立てられていない一対の構成部分の斜視図である。
【図２７】図２７は、図２４−２５に示す完全なアクスルスリーブの端面図である。
【図２８】図２８は、図２４に示すアクスルスリーブの組み立てられていない一対の構成部分の斜視図である。
【図２９】図２９は、第９の実施形態により作成された組み立てられたアクスルスリーブの斜視図であり、バヨネット型キャッチ部と、外面における１６の長手方向のリッジまたはリブであって、隆起した形状のリブと低い形状のリブとが交互になったリブと、Ｚ型の接合エッジとを具えている。
【図３０】図３０は、図２９に示す完全なアクスルスリーブの端面図である。
【図３１】図３１は、図２９および３０に示すアクスルスリーブの側面図である。
【図３２】図３２は、図２９−３１に示すアクスルスリーブの組み立てられていない構成部分の斜視図である。
【図３３】図３３は、好適な実施形態によるスリーブの斜視図である。
【図３４ａ】図３４ａは、一実施形態による円筒形スリーブの斜視図である。
【図３４ｂ】図３４ｂは、２つの異なる視点から見た図３４ａに示す実施形態のスリーブの構成部分の斜視図であり、同一の構成要素の半部が図３４ａのスリーブを形成することを強調している。
【図３５ａ】図３５ａは、図３４ａに示す実施形態に端部の平坦部およびキャッチを加えた別の実施形態による円筒形スリーブの斜視図である。
【図３５ｂ】図３５ｂは、図３５ａに示すスリーブの実施形態の構成部分の斜視図であり、同一の構成要素の半部が図３５ａのスリーブを形成することに留意されたい。
【図３６ａ】図３６ａは、図３５ａに示す実施形態にリブを加えた別の実施形態による、オーバーモールドローラを有する円筒形スリーブの斜視図である。
【図３６ｂ】図３６ｂは、図３６ａに示すスリーブの実施形態の構成部分の斜視図であり、同一の構成要素の半部が図３６ａのスリーブを形成することに留意されたい。
【図３７ａ】図３７ａは、他の実施形態による、軸方向に間隔を空けたベアリングを有する円筒形スリーブの斜視図である。
【図３７ｂ】図３７ｂは、図３７ａに示すスリーブの実施形態の一部の分解斜視図であり、同一の構成要素の半部が図３７ａのスリーブを形成し、軸方向に間隔を空けたスプリットベアリング用のハウジングを提供することに留意されたい。
【発明を実施するための形態】
【００２８】
本発明の好適な特徴が、特に添付の図面を参照して記載されている。しかしながら、図面に図示され、図面を参照して記載された特徴は、本発明の範囲を限定するよう解釈すべきでないことを理解されたい。
【００２９】
図１ａ−２ｂは、アクスルスリーブ１０の形態をした本発明の第１の実施形態を示しており、円筒コア部１２と、一対のらせん曲線状のエッジ１６に沿って互いに嵌合または接合される一対の同一の構成部分１４ａ、ｂとを具えている。この曲線状エッジ１６は、凸凹の相互接続部１８ａ、ｂを具えている。円筒コア部１２の外面１３は、１６の長手方向に整列したリブ１９を有している。
【００３０】
各構成部分１４ａ、１４ｂは、他方の嵌合または接合する構成部分１４ａ、１４ｂにおける対向するらせん曲線状のエッジと完全に相補的な一対のらせん曲線状の側方エッジ１６を具えている。各構成部分１４ａ、１４ｂは同一である。らせん曲線状のエッジ１６と隣接する構成部分１４ａ、１４ｂの一端には、らせん曲線状のエッジ１６の平面を越えて延在するオスの突出凸部１８ｂがある。構成部分１４ａ、ｂの対向する端部では、らせん曲線状の壁１６がそれぞれ、突出部１８ｂと相補的な凹部１８ａで終端する。突出部１８ｂと相補的な凹部１８ａの双方は、円筒コア部１２の内面に隣接している。構成部分１４ａ、１４ｂは、オスメスの係合手段、すなわち凹凸部１８ａ、ｂによって、係合位置または接合位置で原位置に互いを保持する。内向きの圧縮力が構成部分１４ａ、１４ｂを押し付け、らせん状の接合線に沿って互いに対して異方向に回転させるような、スリーブ上またはその周りにローラを成形することによって生じる径方向の圧縮力は、アクスルスリーブ１０の構成部分１４ａ、ｂが異方向に回転せずにアセンブリされたまま確実に残るようにする、凹凸部と隣接する平坦部分によって耐えられている。したがって、圧縮力がスリーブに適用されている間、構成部分１４ａ、１４ｂそれぞれの曲線状の壁１６は互いに接合された状態のままとなる。これらの力は、エッジ１６の曲線状の接合線に沿って偏向するとともに散在させることができ、これにより、エッジ１６の一点に荷重が局在化するのが緩和され、アクスルスリーブ１０の破損を最小限にする。
【００３１】
図３は、ホイールフレームに装着された、第２の実施形態により作成されたアクスルスリーブ３０を示している。組み立てる前に、スリーブ３０は２つの同一の半部から構成される。この構成部分の半部は、ホイールフレームのヘッドポスト３４に装着され、その間に延在する円筒形アクスル３２の周囲に配置される。次いで、ローラ（図示せず）をアクスルスリーブ３０の周囲にモールドすることができる。
【００３２】
図４ａ−９を参照すると、アクスルスリーブ３０の第２の実施形態は一対の同一の半部４４ａ、ｂを具えており、これらの半部は、バヨネット部または矢尻部の係合を可能にすることによって、あるいは内方に傾斜した勾配面４１と矢尻部またはランプ状部材３８ｂを半円筒コア構造４３の壁部に接続する狭いネック部４２とを具える勾配部材３８ｂを隣接させることによって、互いに係合するよう構成されている。矢尻構造または勾配部材３８ｂは、各構成部分の一方の長手方向の側部またはエッジ４５ａと隣接する各構成部分４４ａ、ｂの端部に設けられている。エッジ４５ａに対向するエッジ４５ｂは、実質的に四角形の形状（輪郭）のヘッド部の形態をした相補的な係合構造または接合構造３８ａを具え、その後方は、矢じり状の勾配部材４１を摺動して受け入れて、閉じ込めるよう構成された外側に傾斜した凹面４７に延在している。一方、矢じり状の勾配部材４１と、ネック部４２と、半円筒コア壁４３の端面とによって規定されるネック凹部４８はそれぞれ、構成部分それぞれの接続エッジ４５ａ、ｂ双方において格別に強力な摩擦抵抗係合をするために、四角形のヘッド部３８ａを受けて閉じ込める。好適には、それぞれの構成部分４４ａ、ｂを形成するために使用される材料は一般にアセタールである。壁の厚さと、リブ構造３９と、長手方向のリブ３９によって与えられるスリーブ構造の剛性とを考慮すると、嵌合部１８ａ、ｂはポジティブ係合されているのではなく、単に抵抗性嵌合を形成しているため、構成部分４４ａ、ｂは手でアクスル３２に装着することができる。アクスル３２上のアクスルスリーブ３０のアセンブリを実現するために径方向の圧縮器具を必要とすることなく、構成部分とカムまたは勾配面との嵌合によって、スリーブを組み立てることができるように、構成部分４４ａ、ｂは鋼などの極めて剛性の高い材料から作られることが考えられる。リブ構造１９はアクスルスリーブ３０の外面に沿って長手方向に延在し、コア４３の構造全体を強化することに留意されたい。構成部分１４ａ、ｂが互いに対して異方向に回転するのを軸方向に妨げている場合には、アクスルからスリーブを取り外すために、係合が外れるよう勾配部１８ａ、ｂを押し付けるための器具が有用となりうるが、これは手によって有利にすることもできる。
【００３３】
図１０を参照すると、同一の構成部分５４ａ、ｂから形成された実質的に円筒形の構造５２を具えるアクスルスリーブ５０の第３の実施形態が図示されており、構成部分の間の接合線５６は連続した曲線状のエッジから形成されている。構成部分の外面は、浅い角度のコーナー５８を有する中間の角を形成する部分の間で移行する端が平坦の部分の外観を示している。
【００３４】
第３の実施形態は、アクスルスリーブ５０の外面上に長手方向のリブを特徴として具えていないことに留意されたい。
【００３５】
図１１ａ−１１ｂは、アクスルスリーブ６０の構成部分６４の形態をした第４の実施形態を示している。構成部分６４は、凹凸のガイド部６８ａ−ｂによって互いに配置され、隣接関係で接合する曲線状の側壁６６に沿って、同一の構成部分６４と係合するよう構成されている。
【００３６】
図１２−１４ｂには、アクスルスリーブ７０の形態をした第５の実施形態が図示されており、バヨネットの係合手段または勾配部７８ａ、ｂの係合によって互いに嵌合するよう構成された一対の同一半部の構成部分７４ａ、ｂを具えている。Ｚ型の外側の側方エッジ７６は、長軸７１と実質的に平行に伸びる外側の直線エッジ７０ａ、ｃの間に延在する中央の傾斜部分７６ｂを具えている。しかしながら、好適には、これらの直線エッジは、スリーブが組み立てられたときに、曲線状の接続エッジ、または構成要素の半分を支持して接触する座部を不明瞭にする。
【００３７】
長手方向のリブ７９は、中間部分７１ａがそれぞれの端部３１ｂに対して軽く隆起した浅い弓形状を特徴としており、これは、その上にモールドされるローラのトランケートした紡錘形状を伴う。それぞれのリブ端部７２は内方に傾斜した壁を具え、小さな鋭角の突出部を形成しており、それにより、モールドされたローラ材料の一部が長手方向のリブ７９の最も外側の範囲に対して径方向内側に延在するように、リブの上且つその周りにモールドされたローラをよりよく固定する。
【００３８】
図１５および１６を見てみると、アクスルスリーブ８０の形態をした第６の実施形態が図示されており、一対の構成部分８４の一方の構成部分８４のみが示され、矢尻または勾配係合部８８ａおよび球状ヘッド部８８ｂを図示している。図１５では、端面図が、対向する端部８８ａ、８８ｂが、部分８４の内径８１と同一の直径を有するアクスルの周囲のほぼ全体的に巻き付くことを示している。単一の構成部分８４をアクスルに装着することができるように小さい開口部８９が設けられている。構成部分８４は、部分８４をアクスルに装着することができるように、アクスルの軸に対してオフセットした角度で傾いていなければならない。一旦装着されると、部分８４は抵抗性嵌合を損なってアクスルに取り付けられるが、取り外すためには少量の力が必要となる。しかしながら、部分８４が十分剛性に作られた場合、アクスルの軸に対して傾けることなく、この部分８４をアクスルから取り外すことは不可能である。
【００３９】
図２１−２３および２６を参照すると、アクスルスリーブ９０が図示されており、１０の長手方向の外側リブ９９と、外側エッジ９６ａ−ｃの浅いｚ型のラインによって不明瞭となった曲線状の接合面に沿って接合された一対の同一の構成部分９４ａ、ｂとを具えている。
【００４０】
図２４、２５、２７および２８では、アクスルスリーブ１００の形態をした第８の実施形態が図示されており、８の長手方向の外側リブ１０９と、スパイラル状の接合線または座面を不明瞭にする浅いｚ型の長手方向の外側エッジ９６を示す同一の構成部分とを具えている。全ての構成要素、主に円筒コア部１０３の外面１０７はローラの成形材料に力を加える、または経時的に移動することを可能にするクルドサック（cul-de-sacs）を表していないため、長軸１０１に対して垂直に延在する直線状の端壁９７は、ローラをアクスルスリーブ１００にモールドするためのモールドプロセスを容易にすると考えられる。
【００４１】
図２９−３２に関して、アクスルスリーブ１１０の形態をした第９の実施形態が図示されており、アクスルスリーブの円筒コア本体１１２の外周に低い長手方向のリブ１２９と交互に配置された８の大きな径方向に高い長手方向のリブ１１９を具えている。低いリブ１２９は、コア１１２の外面１１５に沿って長く延在しているが、わずかに高いことにより、ローラの外側の特徴をローラの各端部に向かって先細にすることができる。径方向に高く、且つ周方向に幅広のリブ１１９は、コア１１２の中央領域１２６に実質的な剛性と強度を与える。低いリブ１２９の端部１３２は外面１１５に向かって先細である一方、高いリブ１１９の端部１３４は、図２４に示す第８の実施形態の壁部１０８と同様の端壁１２８で急激に終端する。コア１１２の内面１３４は円筒形のボアを規定してアクスルをぴったりと受ける一方、アクスル３２に対するアクスルスリーブ１１０の回転を可能にする。
【００４２】
バヨネット部、矢尻部または勾配部１１８ａは、コア壁１１２ａの厚みの少なくとも３分の２まで径方向に延在する。コア壁は、ボア１１３の半径の５０乃至１００％が好ましく、好適には６０−８０％である。矢尻部または勾配部１１８ａとコア壁１１２ａの間に延在するネック部１３６は、コア壁１１２ａの厚みの径方向に約３０乃至８０％、好適には４０−６０％であり、球状ヘッド部１１８ｂが対応するか相補的な寸法に作られ、それにより、コア壁１１２ａの矢尻部または勾配部１１８ａ、ネック１３６、および広い端壁１１２ｂによって規定された凹部１１７にぴったりと閉じ込められる。バヨネット部、矢尻部または勾配部１１８ａは、アクスルスリーブ１１０の軸１１１から延在する放射状の線に対して約３０−７０°、好適には４０−５０°の角度で傾斜した勾配面を有している。
【００４３】
各構成部分１１４ａ、ｂは、コア壁１１２ａの側方では、バヨネットのヘッド部１１８ａの頂部または先端１３８から直線的なエッジ壁１１６ａに沿って、長手方向に且つスリーブ軸１１１と平行に延在する一対のｚ型の接合側面エッジ１１６を有する。直線的エッジは、高いリブ１１９の一端１２８を超えて第１のコーナー点１４０まで延在する。第１のコーナー点１４０は、軸方向に平行な壁エッジ１１６ａから、側壁１１６の中間領域をとって延在する傾斜したエッジ壁１１６ｂへの移行部を提供する。この構造により、接続面１１６に沿った僅かな相対移動が可能となり、疲労および弱い構造の地点を形成するような力の集中または局所化が緩和する。さらに、スリーブ１１０は、構造１１８ａ、ｂの強力な係合によって一体的なままとなる。
【００４４】
傾斜した中間の接合エッジ１１６ｂは、第１の直線エッジ１１６ａと平行な他の軸方向に直線的なエッジ１１６ｃへと、構成部分１１４ａ、ｂの他端における第２のコーナー点１４２で移行する。
【００４５】
図３３を見てみると、８の外側リブの表面機構２１２を有する円筒形スリーブ２１０と、オーバーモールドローラ２３０とを具える組み立てられたローラ２００が図示されている。対向する構成部分２１６、２１８の接合エッジ２１４は、軸方向端部に勾配面２２２を有する勾配部分２２０を具えている。勾配面は、係合する直前の対向する構成部分２１６、２１８それぞれのアプローチ方向または角度に対して平行、または１°−２０°だけ僅かにオフセットした平面に位置しており、これにより、勾配面２２２は、スナップ嵌合というよりは抵抗性嵌合で勾配面にわたって摺動して係合するよう構成される。この構成は、スリーブの端部が軸方向の移動を妨げている限りは、オーバーモールド処理の間、部分の半部２１６、２１８を互いに保持するキャッチ部を形成する。これは、「固い」スナップ機構を有しない抵抗性キャッチ部を実現する。
【００４６】
スリーブ２１０が“スナップ”設計を損ねる歪みを生じさせる荷重下にある場合（嵌合部分が係合できるようにするために湾曲または歪まねばならない場合）に、勾配部分２２０の構造によって、接合される半部２１６、２１８を動かすことができる。本実施形態は、荷重が移行して変化するときにスナップ係合が頻繁に外れてセットしなおす場合に、荷重下でのスリーブの特性となる“カチッ”という音を除去する。
【００４７】
図３４ａ−ｂを参照すると、基本的なスリーブ構造２１０ａが図示されており、同一の構成要素の半部２１６ａ、２１８ａを組み合わせてスリーブ２１０ａを形成している。これは、構成部分２１６ａを回転させて「それ自体」に面することができ、それにより、円筒形のスリーブ２１６ａを形成するように組み合わせられる対向部分を表すことを示すことにより実証される。スリーブ２１０ａをローラ材料でオーバーモールドして、圧力下でも分割、分離、あるいは故障しない分割スリーブ２１０ａを得ることができる。
【００４８】
図３５ａ−３５ｂでは、２つの同一の要素の半部２１６ｂ、２１８ｂを接合することによって形成される、より発展したスリーブ２１０ｂが図示されており、これらの半部は、それぞれの端部の接合面に、各々らせん状の座面２２６ｂの端部に隣接する平坦部分２２４ｂを有している。平坦部分２２４ｂは、部分を互いに長手方向に移動させてしまう構成部分２１６ｂ、２１８ｂの異回転に抵抗するのに効果的である。この平坦部分２２４ｂはさらに、ローラ材料でスリーブ２１０ｂをオーバーモールドする前に、部分２１６ｂ、２１８ｂを互いに一時的に保持する抵抗性の係合機構２２８ｂ、２２９ｂを有する。
【００４９】
図３６ａ−３６ｂは、ローラ２３０ｃでオーバーモールドされた、より精巧なスリーブ２１０ｃを示している。スリーブ２１０ｃは、強度と、ローラ材料の体系化された移動と、結合した同一のスリーブの半部２１６ｃ、２１８ｃの上にモールドされるローラ２３０ｃ材料のロール厚さの制御とをもたらす長手方向のリブ２３２ｃを特徴とした輪郭の本体を有する。
【００５０】
ここで図３７ａ−３７ｂを参照すると、スリーブ２１０ｄが図示されており、一連のスプリットベアリング２４０ｄが必要とされる場合にハウジング２１０ｄを提供すべく使用される。結合されたスリーブ２１０ｄは、組み立てられたベアリング２４０ｄ用の内面環状シートを具えている。スリーブ２１０ｄはハウジングを提供するだけでなく、長手方向の強度と、ベアリング２４０ｄを適切に軸方向に間隔を空けた状態に維持する手段と、スプリットベアリング２４０ｄを互いに維持しながら、ローラ材料をオーバーモールドする手段と、を提供する。
【００５１】
明細書および特許請求の範囲を通じて、用語「具える（comprise）」およびその派生語は、相反することが明確に記載されている、あるいは文脈が要求していない限り、排他的な意味というよりも包括的な意味を意図している。すなわち、用語「具える（comprise）」およびその派生語は、相反することが明確に記載されているか文脈が必要としていない限り、直接的に参照している列挙された構成要素、ステップまたは特徴だけでなく、具体的に列挙されていない他の構成要素、ステップまたは特徴を包含することを示すと考えられる。
【００５２】
本明細書において、「装置（apparatus）」、「手段（means）」、「デバイス（device）」、および「部材（member）」といった用語は単数形または複数形の事項を意味しており、１以上の部分を有する１以上のまたは構成要素によって実行される一セットの特性、機能または特徴を意味することを意図した用語である。「装置（apparatus）」、「手段（means）」、「デバイス（device）」、および「部材（member）」または同様の用語が単一の物体として記載されている場合には、複数の構成要素を有する機能的に均等な物体は該用語等の範囲内であると考えられること、「装置（apparatus）」、「手段（means）」、「デバイス（device）」、および「部材（member）」が複数の構成要素を有するものとして記載されている場合には、相反することが明確に記載されているか、文脈が要求している場合を除き、機能的に均等であるが単一の物体もまた、該用語の範囲内であると考えられることを認識されたい。
【００５３】
垂直、水平、頂部、底部、上部および下部といった、明細書および特許請求の範囲に使用される配向的な表現は、相関的なものであると解釈すべきであって、構成要素、アイテム、物、装置、デバイスまたは機器が一般に特定の方向にあると考えられるとの仮定に基づいている。
【００５４】
当該分野における当業者は、本発明の概念および範囲から逸脱することなく、本書に記載された発明の方法に対して多くの改変およびバリエーションをすることができると認識するであろう。
【００５５】
本発明は、本発明の様々な態様および選択物を理解するのに当業者である読者を助けることができる一時的な請求項という点から記載することができる。しかしながら、これらの一時的な請求項は、本発明を規定する記載として解釈すべきではない。他の形態、態様、および本書に記載された本発明の好適な特徴およびその実施形態は、本明細書を伴う仮出願からの権利を主張することができる、完全な国際出願または国内出願（または、それらに引き続く対応特許登録）の明細書において本発明を規定する請求項に最終的に含むことができると理解されたい。本文中では、以下の非限定的な特許請求の範囲は、本発明をより良く記載するのを助けるものである。
【図１ａ】
2015231800.tif 000003
【図１ｂ】
2015231800.tif 000004
【図２ａ】
2015231800.tif 000005
【図２ｂ】
2015231800.tif 000006
【図３】
2015231800.tif 000007
【図４ａ】
2015231800.tif 000008
【図４ｂ】
2015231800.tif 000009
【図５ａ】
2015231800.tif 000010
【図５ｂ】
2015231800.tif 000011
【図６】
2015231800.tif 000012
【図７】
2015231800.tif 000013
【図８】
2015231800.tif 000014
【図９】
2015231800.tif 000015
【図１０】
2015231800.tif 000016
【図１１ａ】
2015231800.tif 000017
【図１１ｂ】
2015231800.tif 000018
【図１１ｃ】
2015231800.tif 000019
【図１１ｄ】
2015231800.tif 000020
【図１２】
2015231800.tif 000021
【図１３】
2015231800.tif 000022
【図１４】
2015231800.tif 000023
【図１５】
2015231800.tif 000024
【図１６】
2015231800.tif 000025
【図１７】
2015231800.tif 000026
【図１８】
2015231800.tif 000027
【図１９】
2015231800.tif 000028
【図２０】
2015231800.tif 000029
【図２１】
2015231800.tif 000030
【図２２】
2015231800.tif 000031
【図２３】
2015231800.tif 000032
【図２４】
2015231800.tif 000033
【図２５】
2015231800.tif 000034
【図２６】
2015231800.tif 000035
【図２７】
2015231800.tif 000036
【図２８】
2015231800.tif 000037
【図２９】
2015231800.tif 000038
【図３０】
2015231800.tif 000039
【図３１】
2015231800.tif 000040
【図３２】
2015231800.tif 000041
【図３３】
2015231800.tif 000042
【図３４ａ】
2015231800.tif 000043
【図３４ｂ】
2015231800.tif 000044
【図３５ａ】
2015231800.tif 000045
【図３５ｂ】
2015231800.tif 000046
【図３６ａ】
2015231800.tif 000047
【図３６ｂ】
2015231800.tif 000048
【図３７ａ】
2015231800.tif 000049
【図３７ｂ】
2015231800.tif 000050
【外国語明細書】
2015231800000001.pdf